(57)【要約】【課題】充気装置の不還弁挿入孔に挿入したガス注入バルブのステムに螺合させたナットに被冠する防護キャップであって、金属になり、角部を有するナットが浮体に接触することにより該浮体が損傷することから防護すると共に防護キャップを破壊しない限りガス注入バルブを充気装置から取り外すことができないようにする。【解決手段】防護キャップは、弾性体でなり、内部が空洞で、かつ、球欠状体を呈し、該球欠状体の底面には数個の切り込みのある囲繞周縁枠が設けてなり、ナットへの装着が容易であると共に防護キャップを破壊しない限りナットから外せないようにしてなる。【選択図】    図５
0003107566.tif 000002
【実用新案登録請求の範囲】
【請求項１】
充気装置の不還弁挿入孔に挿入したガス注入バルブのステムに螺合させたナットに被冠するカバーであって、弾性体でなり、内部が空洞で、かつ、球欠状体を呈し、該球欠状体の底面には数個の切り込みのある囲繞周縁枠が設けてなる救命胴衣の充気装置取付け用ナットの防護キャップ。
【考案の詳細な説明】
【技術分野】
【０００１】
本考案は、膨脹式の救命胴衣における充気装置と浮体とを該浮体に取付けてあるガス注入バルブを介して機械的及び通気的に結合するのに用いる救命胴衣の充気装置取付け用ナットの防護キャップに関するものである。
【背景技術】
【０００２】
従来の膨脹式救命胴衣は、図６及び図７に示すように、充気装置１をガス注入バルブ２を介して浮体３に機械的及び通気的に結合してあり、このガス注入バルブ２のステム４を充気装置１の不還弁挿通孔５に挿通してステム４のネジ部に平面が六角形を呈する角頭の袋ナット６で締付けることにより浮体３を充気装置１に装着している。そして、該充気装置１はレバー７により撃針８を作動させてガスボンベ９の封板１０を開口したときに、ガスが不還弁挿通孔５からガス注入バルブ２を介して浮体３へ注気するようになっている。
【０００３】
一方、膨脹式救命胴衣の浮体３は、比較的薄いゴム引布又は合成樹脂のコーティング布であるため、金属や、鋭利な角をもつもの等と強く接触することにより浮体３に孔が生じる等の損傷を与え易い。そのため、ガス注入バルブ２のナット６の角部をできるだけ鋭角とならないように加工している。
【０００４】
また、従来の充気装置において、この充気装置１を浮体３から取り外すことは、取り扱いに不慣れな素人でも簡単になし得るが、浮体３に対する充気装置１の取付けは、熟練した者がしなければ、不慮の事故を起こすことがあるので、メーカーの指示する禁止事項である浮体に対する充気装置の取付け、取り外しを所有者等が簡単にできなくする防護手段を備えておく必要である。
【考案の開示】
【考案が解決しようとする課題】
【０００５】
しかしながら、前記ガス注入バルブのネジ部に螺合するナットは、金属部品であり、六角をなす角部を有しているので、この角部が鋭角とならないように丸みをつけた加工をしているとしても、救命胴衣を折り畳んだ状態で身体に着用し作業したり、また、収納しておくと、前述したように、ナットとの接触により浮体を損傷させる危険がある。
【０００６】
また、前記注入バルブのネジ部に螺着するナットは、取り扱いに不慣れな素人が簡単に扱えないようにするための特別な防護手段を備えていないので、素人が、注入バルブを充気装置に取付けることが往々にあり、その結果、不慮の事故を起こすことがある等の課題があった。
【０００７】
本考案は、上記の点に鑑みてなされたものであって、その目的とするところは、金属の六角ナットをカバーで被冠して、該ナットが浮体に直接接触して浮体を損傷させないようにすると共に前記カバーを破壊させなくては、ナットを充気装置から外すことができないようにして、素人が注入バルブを充気装置から安易に外すのを防止できるようにした救命胴衣の充気装置取付け用ナットの防護キャップを提供するものである。
【課題を解決するための手段】
【０００８】
本考案は上記目的を達成するために、充気装置の不還弁挿入孔に挿入したガス注入バルブのステムに螺合させたナットに被冠するカバーであって、弾性体でなり、内部が空洞で、かつ、球欠状体を呈し、該球欠状体の底面には数個の切り込みのある囲繞周縁枠が設けてなる。
【考案の効果】
【０００９】
ナットには、ゴム又はプラスチックの弾性体でなる防護キャップがナットを締付けた後に嵌め合わせてあるがこの嵌合は、球欠状体の内部の空洞にナットの一般的な角頭の全体が収められて浮体に損傷を与えない。
【００１０】
防護キャップは内部が空洞で外観は球欠状体を呈し、底面の内周円には、数個の切り込みが設けてある周縁枠が残されているので、ナットの角頭でも挿入させることが容易にできるし、また、反面、一旦、挿入させたナットの角頭は、キャップを破壊させないと取り出せない不可逆な性能をもたせてあるので、素人が取り外すことが防止できる。
【考案を実施するための最良の形態】
【００１１】
図１はガス注入バルブの締付けナットに本考案の防護キャップを被冠した充気装置の正面図、図２はナットに本考案の防護キャップを被冠した充気装置を浮体に設置して示す側面図、図３は半体を断面で示す防護キャップの正面図、図４は防護キャップの底面図、図５はナットに被冠設置した状態を示す防護キャップの縦断面図で、充気装置１はガス注入バルブ２を介して浮体３に機械的及び通気的に結合してあり、このガス注入バルブ２のステム４を充気装置１の不還弁挿通孔５に挿通してステム４のネジ部に平面が六角形を呈する袋ナット６で締付けることにより浮体３を充気装置１に装着している。
【００１２】
本考案において、図３乃至図５に示すように、前記ナット６には、防護キャップ１１が被冠設置されている。この防護キャップ１１は、側面及び平面が球冠状を呈する弾性体になる球欠状体１２を形成し、該球欠状体１２の内部は底面が開放されている空洞になっていて、底面の内側へ突設する囲繞周縁枠１３が周設され、該囲繞周縁枠１３には、4個の切り込み１４．．．を設けて囲繞周縁枠１３を４個の分割片１５．．．に分割し、これらの各分割辺１５．．．が自由に動き得るようにして構成する。
【００１３】
上記構成になる防護キャップ１１は、球欠状体１２の内部にナット６の角頭を入れるときは、図５に示すように、４個の分割片１５．．．は、空洞方向に折り曲げられてナット６の角頭を空洞内に受け入れ、そして、ナット６の角頭全体が空洞内に収められたときに分割片１５．．．が弾性により復元位置してナット６の角頭の裏面側の周縁に嵌合するので、球欠状体１２のナット６に対する取付は容易になし得るが、充気装置１にナット７が締め付けてあると、ナット７６と球欠状体１２の底面との間に余裕がないので、防護キャップ１１である球欠状体１２を破壊させないと防護キャップ１１をナット６から外すことができないようにしてある。
【産業上の利用可能性】
【００１４】
浮体の構成材を損傷させないで、全てのガス膨脹式救命胴衣の充気装置に使用できるし、また、使用者が充気装置を取り外そうとしても、防護キャップは、破壊させないと外れないので、メーカーの取り扱い要領が遵守されて不慮の事故を起こすようなことがなく安全に使用できる。
【図面の簡単な説明】
【００１５】
【図１】本考案の防護キャップを取付けた状態を示す充気装置の正面図である。
【図２】本考案の防護キャップを取付けた状態を示す充気装置の側面図である。
【図３】本考案の防護キャップの半体を断面で示す正面図である。
【図４】本考案の防護キャップの底面図である。
【図５】本考案の防護キャップをナットに被冠した状態を断面で示す注入バルブの側面図である。
【図６】従来の充気装置にガス注入バルブが取付けられている状態を一部断面で示す背面図である。
【図７】従来の充気装置にガス注入バルブが取付けられている状態を示す側面図である。
【符号の説明】
【００１６】
１      充気装置
２      ガス注入バルブ
３      浮体
４      ステム
５      不還弁挿通孔
６      ナット
１１    防護キャップ
１２    球欠状体
１３    囲繞周縁枠
１４    切り込み
１５    分割片
【図１】
0003107566.tif 000003
【図２】
0003107566.tif 000004
【図３】
0003107566.tif 000005
【図４】
0003107566.tif 000006
【図５】
0003107566.tif 000007
【図６】
0003107566.tif 000008
【図７】
0003107566.tif 000009